(57)【要約】【課題】バッテリーレスのパッシブＩＣタグの感度をさらに高めて通信距離の延長を図るとともに、使用用途に柔軟に対応可能なコネクタ型ＩＣタグを提供することである。【解決手段】ブースターアンテナ装置６０対して電気的に接続され、かつ、着脱可能なコネクタ部１２と、コネクタ部１２に電気的に接続されるＩＣタグ部１４とを備え、ブースターアンテナ装置６０を介してリーダ／ライタ装置７０と無線通信を行う。【選択図】図２
2017037388.tif 000002
【特許請求の範囲】
【請求項１】
ブースターアンテナ装置を介してリーダ／ライタ装置と無線通信を行うコネクタ型ＩＣタグであって、
前記ブースターアンテナ装置に対して電気的に接続され、かつ、着脱可能なコネクタ部と、
前記コネクタ部に電気的に接続されるＩＣタグ部と、
を有することを特徴とするコネクタ型ＩＣタグ。
【請求項２】
前記ＩＣタグ部は、
ＩＣチップと、
前記ＩＣチップに接続される第１のアンテナと、
前記第１のアンテナと対向する位置に設けられリーダ/ライタ装置との間で無線通信を行うための前記ブースターアンテナ装置に電気的に接続される第２のアンテナを有する
ことを特徴とする請求項１に記載のコネクタ型ＩＣタグ。
【請求項３】
前記コネクタ部は、前記ブースターアンテナ装置に設けられたブースター側コネクタと電気的に接続可能に構成されている
ことを特徴とする請求項１又は２に記載のコネクタ型ＩＣタグ。
【請求項４】
少なくとも前記第１のアンテナ及び前記第２のアンテナは、電磁誘導結合が可能となるように互いに所定の間隔をおいて配置されている
ことを特徴とする請求項２に記載のコネクタ型ＩＣタグ。
【請求項５】
前記第１のアンテナ及び前記第２のアンテナは、それらを密着させて配置されるか又は短い間隔をもって対向配置されている
ことを特徴とする請求項４に記載のコネクタ型ＩＣタグ。
【請求項６】
前記第１のアンテナ及び前記第２のアンテナは、互いに前記所定の間隔をおいて配置されるように樹脂で固定されている
ことを特徴とする請求項４に記載のコネクタ型ＩＣタグ。
【請求項７】
前記第１のアンテナ及び前記第２のアンテナを覆うためのキャップ部を有することを特徴とする請求項１から６のいずれか１項に記載のコネクタ型ＩＣタグ。
【請求項８】
前記キャップ部は放射線遮蔽材料で製造された
ことを特徴とする請求項７に記載のコネクタ型ＩＣタグ。
【発明の詳細な説明】
【技術分野】
【０００１】
本発明は、アンテナに対して着脱可能なコネクタ型ＩＣタグに関する。
【背景技術】
【０００２】
近年パッシブＩＣタグの感度を増加させるという要望が高まっている。従来、ＩＣタグの高感度化を図るために、例えばアンテナ性能を向上させるべく綿密な感度調整等が行われてきた（例えば、特許文献１参照）。しかしながら、ＩＣタグは使用環境等の影響を受けやすく、ＩＣタグの取り付け対象が、たとえば水や金属である場合には特に影響を受けやすく感度が低下する傾向にある。この原因の１つとして、たとえば紙やプラスチックなどのＩＣタグの周囲の物質によってＩＣタグアンテナの同調ずれが生じることが挙げられる。
【０００３】
上記した同調ずれが起きる理由について以下に述べる。ＩＣタグアンテナの近傍に水や油、プラスチックなどの誘電体物質を満たすと、ＩＣタグアンテナの電磁気的長さが縮むという波長短縮効果が現れる。波長短縮効果による短縮率は、電磁気学においては真空や空気の誘電率を１としたとき、その物質固有の比誘電率に応じてどの程度短縮するかが簡易的に算出され、その物質の比誘電率の平方根の逆数となることが知られている。たとえば、物質が水の場合には比誘電率が８０であり、空気中で同調しているアンテナが水没すると約９倍も波長が短縮するのに対し、物理的なアンテナ寸法が短縮しないことから結果的に同調ずれを起してしまい、応答しにくくなるか、あるいは応答しなくなる。
【０００４】
高感度化を図りつつ上記した同調ずれを軽減するために、ＩＣタグとは別に高感度アンテナを用意し該アンテナをドームやケースで覆って保護した上で、ＩＣタグと高感度アンテナを密着（一体化）させるという方法が考えられる。
【先行技術文献】
【特許文献】
【０００５】
【特許文献１】特開２０１３−２５１６０８号公報
【発明の概要】
【発明が解決しようとする課題】
【０００６】
しかしながら、ＩＣタグに例えば上記のようなドームやケースなどで防水処理を施し一体化した場合において、その後にその防水処理が施されたＩＣタグを、別の用途で使用させたい場合（使用条件を変更させたい場合）、たとえば、放射線量が多い環境や高温度環境において使用させたいような場合には、そのＩＣタグの構造自体を、例えば全体を、電波は透過するが放射線は遮る遮蔽材で被うなどの設計変更する必要があり、製造コストが増加してしまう。
【０００７】
本発明は、バッテリーレスのパッシブＩＣタグの感度をさらに高めて通信距離の延長を図るとともに、使用用途に柔軟に対応可能なコネクタ型ＩＣタグを提供することである。
【課題を解決するための手段】
【０００８】
上記課題を解決するために、本発明に係るコネクタ型ＩＣタグは、ブースターアンテナ装置を介してリーダ／ライタ装置と無線通信を行うコネクタ型ＩＣタグであって、ブースターアンテナ装置に対して電気的に接続され、かつ、着脱可能なコネクタ部と、コネクタ部に電気的に接続されるＩＣタグ部とを有することを特徴とする。
【０００９】
上述の発明において、ＩＣタグ部は、ＩＣチップと、該ＩＣチップに接続され第１のアンテナすなわちＩＣタグが内蔵するアンテナと、第１のアンテナと対向する位置に設けられリーダ/ライタ装置との間で無線通信を行うためのブースターアンテナ装置に電気的に接続される第２のアンテナを有する、ことが好ましい。
【００１０】
上述の発明において、コネクタ部は、ブースターアンテナ装置に設けられたブースター側コネクタと電気的に接続可能に構成されている、ことが好ましい。
【００１１】
上述の発明において、少なくとも前記第１のアンテナ及び前記第２のアンテナは、電磁誘導結合が可能となるように互いに所定の間隔をおいて配置されている、ことが好ましい。
【００１２】
上述の発明において、前記第１のアンテナ及び前記第２のアンテナは、それらを密着させて配置されるか又は短い間隔をもって対向配置されている、ことが好ましい。
【００１３】
上述の発明において、第１のアンテナ及び第２のアンテナは、電磁誘導結合が最良になるように互いに密着ないしは短い間隔で対向して配置されるように樹脂で固定されている、ことが好ましい。
【００１４】
上述の発明において、第１のアンテナ及び第２のアンテナを覆うためのキャップ部を有する、ことが好ましい。
【００１５】
上述の発明において、キャップ部は放射線遮蔽材料で製造される、ことが好ましい。
【発明の効果】
【００１６】
本発明によれば、通信距離の延長を図るとともに使用用途に柔軟に対応可能なコネクタ型ＩＣタグを提供することができる。
高利得や所望の偏波特性の通信用アンテナ装置を選択してこれをブースターアンテナ装置とした時、これにメモリ容量など所望のＩＣタグ仕様のコネクタ型ＩＣタグを接続し一体化して、例えば長距離型のＩＣタグ装置を提供できる。つまり、アンテナ装置側とＩＣタグ側の特性をそれぞれ独立に選択可能とするコネクタ型ＩＣタグを提供できる。
【図面の簡単な説明】
【００１７】
【図１】ブースターアンテナ装置を介してコネクタ型ＩＣタグとリーダ／ライタ装置との無線通信を説明するための図である。
【図２】（ａ）は、コネクタ型ＩＣタグの構成を示す分解斜視図であり、（ｂ）は、コネクタ型ＩＣタグの外観斜視図であり、（ｃ）はコネクタ型ＩＣタグをコネクタ部側から見た場合の外観斜視図である。
【図３】コネクタ型ＩＣタグのコネクタ部がブースターアンテナ装置に接続した状態を示す部分的な断面図である。
【図４】コネクタ型ＩＣタグのＩＣタグ部の構造を説明するための部分的な断面図である。
【図５】（ａ）はＩＣタグ、ループアンテナ及び同軸ケーブルの位置関係を示した図であり、（ｂ）はアンテナコイルとループアンテナの間の電磁誘導結合を説明するための図である。
【図６】容量Ｃをループコイルに付加させた場合と付加させない場合における使用周波数と感度の関係を示すグラフである。
【図７】（ａ）はコンパクトなブースターアンテナに接続されたコネクタ型ＩＣタグを示した図であり、（ｂ）は大型長距離通信タイプの高利得アンテナに接続されたコネクタ型ＩＣタグを示した図であり、（ｃ）は特殊なタイプで、例えば特定方向に高感度になる長方形の直線偏波タイプのアンテナに接続されたコネクタ型ＩＣタグを示した図で、それぞれ目的別のＩＣタグ装置を形成できることを示す図である。
【図８】変形例１に係るコネクタ型ＩＣタグを示した図である。
【図９】ある程度の長距離通信が必要とされる貨物置場の物流管理システムに使用されるコネクタ型ＩＣタグによる長距離型のＩＣタグ装置を利用した一例を示す図である。
【図１０】ある程度の長距離通信が必要とされる貨物物流管理システムに使用されるコネクタ型ＩＣタグによる長距離型のＩＣタグ装置を利用した他の例を示す図である。
【図１１】コネクタ型ＩＣタグの変形例を示した図であり、（ａ）は同軸ケーブル型のコネクタ型ＩＣタグであり、（ｂ）は雄雌変換型のコネクタ型ＩＣタグであり、（ｃ）はエルボー型のコネクタ型ＩＣタグである。
【発明を実施するための形態】
【００１８】
［本発明を想到するに至るまでの経緯］
最初に、本発明を想到するのに至るまでの経緯について説明する。本発明は、次の参考例１、参考例２に述べた経緯に基づいて想到するに至った。
【００１９】
＜参考例１について＞
一般に、パッシブ型のＩＣタグにおいては、特にＵＨＦ帯域のＩＣタグは、国別や地域など少し異なる周波数で使用されるので、国際物流で不便が生じないように感度を犠牲にして広帯域特性に調整されているか、あるいは感度が最優先するように調整した国別や地域別のＩＣタグが使用される。高感度を得るためには、ＩＣタグのアンテナの性能を向上させる、ということが挙げられる。アンテナの性能を向上させるには、例えばアンテナ自体を大きくすると共に感度調整を綿密に行う必要がある。しかし、国別などの固有の周波数対応のＩＣタグの使用条件が変化すると、それに応じた設計変更を余儀なくされる。この設計変更については、さらに使用環境対応がある。例えば雨の多い場所であれば水による波長短縮による同調ずれに基づく感度劣化を抑制するといった防水に関し再設計する必要がある。
【００２０】
＜参考例２について＞
次に、上述した参考例１の課題等に鑑みて、用途別に異なるアンテナの中から所望のアンテナを選択し、選択したアンテナにＩＣタグ本体を密着し電磁結合やボンディングなど一体化させることが考えられる。しかしながら、いったん選択したアンテナに一体化させたＩＣタグは、他の用途のアンテナに交換できないので、他の用途に使用することができず、新たに当該用途に適したアンテナにＩＣタグを一体化させたものを使用しなければならない。本発明は上記した参考例１、参考例２に挙げた経緯に基づいて、使用用途別に柔軟に対応可能なコネクタ型ＩＣタグを創作するに至った。
【００２１】
以下、本発明の一実施の形態に係るコネクタ型ＩＣタグについて、図面に基づいて説明する。
【００２２】
［コネクタ型ＩＣタグの構成］
図１はブースターアンテナ装置を介してコネクタ型ＩＣタグとリーダ／ライタ装置との無線通信を説明するための図である。ブースターアンテナ装置は一般に流通しているリーダ/ライタ装置のメニューにあるケーブル接続のアンテナ装置が好ましい。図２（ａ）は、コネクタ型ＩＣタグの構成を示す分解斜視図であり、図２（ｂ）は、コネクタ型ＩＣタグの外観斜視図であり、図２（ｃ）はコネクタ型ＩＣタグをコネクタ部側から見た場合の外観斜視図である。図３はコネクタ型ＩＣタグのコネクタ部がブースターアンテナ装置に接続した状態を示す部分的な断面図である。図４は、コネクタ型ＩＣタグのＩＣタグ部の構造を説明するための部分的な断面図である。図５（ａ）はＩＣタグ、ループアンテナ及び同軸ケーブルの位置関係を示した図であり、図５（ｂ）はループアンテナとコイルアンテナの間の電磁誘導結合を説明するための図である。図６は容量Ｃをループコイルに付加させた場合と付加させない場合における使用周波数と感度の関係を示すグラフである。
【００２３】
図２（ａ）〜（ｃ）に示すように、コネクタ型ＩＣタグ１０は少なくともコネクタ部１２とＩＣタグ部１４を有して構成される。コネクタ部１２は同軸コネクタである。同軸コネクタとは同軸ケーブルと装置（本実施の形態ではブースターアンテナ装置）の入力または出力端に装着し、高周波信号をロス無く着脱できる器具であり、周波数や目的に応じて様々なコネクタが使用されているが、接続部分（開口部）は国際規格や工業規格などにより決まっているため、同種のコネクタであればメーカー間での互換性がある。
【００２４】
＜コネクタ部＞
コネクタ部１２は、例えばＳＭＡ（Sub Miniature Type A）型同軸コネクタであり、マイクロ波帯で、最も一般的に使われており、バイオネットロック機構による着脱方式となっているのが特徴でＮ型コネクタに比べて小形になっている。後述する内部導体３１を支持する絶縁物にはフッ素樹脂が用いられている。フッ素樹脂の比誘電率は約２．０であり、使用周波数はＤＣ〜１８ＧＨｚである。ただし、上述の絶縁物は、フッ素樹脂以外のものを用いても良い。
【００２５】
図２及び図３に示すように、ＳＭＡ型同軸コネクタは、雌ねじ部材１６、導体保持部１８、タグ接合部２０及び同軸ケーブル３０とを備えている。雌ねじ部材１６、導体保持部１８及びタグ接合部２０は略筒状の部材であり、雌ねじ部材１６の内面には周方向に沿って雌ねじ部７４が設けられている。雌ねじ部７４はブースターアンテナ装置６０の雄ねじ部材６４を構成する雄ねじ部６８に螺合する。すなわち雌ねじ部７４と雄ねじ部６８が螺合することにより、雌ねじ部材１６と雄ねじ部材６４とは互いに接合可能となる。
【００２６】
導体保持部１８は、同軸ケーブル３０を通すための中空部を有し、その導体保持部１８の一端には雌ねじ部材１６が設けられ、他端にはタグ接合部２０が設けられている。導体保持部１８の外径は雌ねじ部７４の内径及びタグ接合部２０の外径よりも大きいが、タグ接合部２０の外径と同等または小さくても良い。
【００２７】
タグ接合部２０は、同軸ケーブル３０を通すための中空部を有し、タグ接合部２０の一端には導体保持部１８が連続しており、他端にはＩＣタグ部１４を覆うキャップ部５０が取り付けられている。
【００２８】
同軸ケーブル３０は、高周波信号を、信号損失を抑制して伝達する機能を有し、外部導体３３（シールド被膜部分）と、内部導体（芯線）３１と、外部導体３３と内部導体３１を絶縁するための絶縁部３２を有して構成されている。同軸ケーブル３０の一端はブースターアンテナ装置６０の接続端子６５側に向かい、他端はＩＣタグ部１４の後述するループコイル４６に接続されている。具体的には、同軸ケーブル３０の一端側において内部導体３１がループコイル４６の一端に接続され、外部導体３３がループコイル４６の他端に接続されている。同軸ケーブル３０の他端側においては、雌ねじ部材１６と雄ねじ部材６４の螺合により、同軸ケーブル３０の内部導体３１が雄ねじ部材６４を構成する雄側内部導体６７に接続され、外部導体３３が雄ねじ部材６４を構成する雄側外部導体６９に接続され、もって同軸ケーブル３０の他端側がブースターアンテナ装置６０内部の後述するアンテナ素子に接続されることとなる。なお、雄側内部導体６７と雄側外部導体６９の間には絶縁体７１が設けられている。なお、同軸ケーブル３０の長さは短いほど損失が少ないので、ループコイル４６の接続のしやすい最小限の長さであってよい。長さが０であってもよい。
【００２９】
＜ＩＣタグ部＞
ＩＣタグ部１４は、ＩＣチップ４２及びコイルアンテナ４４とを有するＩＣタグ４０と、渦巻き状のループコイル４６と、ＩＣタグ４０及びループコイル４６を覆うためのキャップ部５０とを有して構成されている。コイルアンテナ４４はＩＣチップ４２を取り囲むように形成されており、両端が図示しない接続端子を介してＩＣチップ４２に電気的に接続されている。ループコイル４６の一方の端部４６ａは同軸ケーブル３０の外部導体３３にはんだ付けやレーザー溶着等により電気的に接続され、他方の端部４６ｂは同軸ケーブル３０の内部導体３３にはんだ付けやレーザー溶着等により電気的に接続されている（図４参照）。なお、コイルアンテナ４４は、請求項２〜７に記載された「第１のアンテナ」に対応している。ループコイル４６は、請求項２〜７に記載された「第２のアンテナ」に対応している。
【００３０】
ＩＣチップ４２は、ループコイル４６の高周波電流からＩＣチップ４２が必要とする電力を作り出す機能の電源回路や送受信回路、メモリ、ロジック制御回路等を内蔵している。ループコイル４６はコイルアンテナ４４と対向する位置にＩＣチップ４２と所定間隔をおいて配置され、ＩＣタグ４０のコイルアンテナ４４との電磁誘導結合でトランスのように２つのコイルが対向して電磁エネルギーの伝達を促す役割を有する。ループコイル４６の他の役割としては電磁誘導結合をより強い結合とすることである。
【００３１】
強い結合を実現する方法として、図５に示すようにループコイル４６に実体としての容量（コンデンサ）Ｃを付加させ、共振のずれを改善する方法がある。これは容量Ｃとループコイル４６が固有に持つインダクタンスＬとで共振させる方法である。共振条件の目安は、以下の数式（１）で表されることが知られている。
【００３２】
【数１】
2017037388.tif 000003
【００３３】
ここで、ｆは使用するコネクタ型ＩＣタグ１０で使用する周波数で、Ｃ‘は寄生容量である。図６は、実体としての容量Ｃを付加させた場合（Ｃ＋Ｃ´）に、特定の周波数ｆで共振し高感度状態になり、付加しない場合（Ｃ´）は、共振からはずれて低い感度であることを示している。したがって、ループコイル４６に実体としての容量Ｃを付加させることによってより強い電磁誘導結合を実現することができる。
【００３４】
なお、容量は実体として存在する必要はなくループコイル４６の巻線間に寄生する浮遊容量（寄生容量）でもよく、これだけで共振するのであれば新たに容量Ｃを付加する必要がない。しかしながら実装寸法制限やコスト制限で付加する容量Ｃを省略する場合もある。いずれであっても実用的に動作する強さの電磁結合であればあればよい。容量Ｃを付加しない場合、ｆが９２０ＭＨｚ、ループコイル４６の直径が５ｍｍ、巻き数が２回の状態で実用的強さの結合を実現していることを実験で確認している。
【００３５】
ＩＣタグ部１４のＩＣタグ４０とループコイル４６は、ＩＣタグ４０のコイルアンテナ４４とループコイル４６が互いに対向して所定間隔をおいて配置されるように位置決めされた状態で樹脂により固定される。
【００３６】
＜キャップ部＞
キャップ部５０は、樹脂製であってコネクタ部１２からＩＣタグ部１４にかけて外径が操作しやすいように大きくなるような形状に形成されてもよい。キャップ部５０の形状については、ＩＣタグ４０とループコイル４６を覆うことができるような形状であればよいので、図１や図２に示すような形状に限定されない。材料については、樹脂以外に金属であってもよい。たとえば、本発明に係るコネクタ型ＩＣタグを原子炉付近の放射線量が多いような場所で使用するような場合には、放射線遮蔽材料で製造されたキャップ部５０を使用すればよいし、高温環境下で使用するような場合には、熱遮蔽材料で製造されたキャップ部５０を使用すればよい。つまり、キャップ部５０の材質は使用用途に応じて異なる。
【００３７】
例えば、コネクタ型ＩＣタグに内蔵される半導体集積回路は放射線や熱に対して弱いため、できるだけ放射線が照射されない環境を作ることが重要となる。そのため、放射線量の多い環境下において使用するような場合には、キャップ部５０の材料として鉛やタングステンなど、あるはこれらを主成分とした樹脂などの放射線遮蔽材料を用いることにより半導体集積回路の保護の実効を図ることができる。また、高温環境下においてコネクタ型ＩＣタグを使用する場合には、キャップ部５０の材料として熱遮蔽材料を用いることにより高温環境下における半導体集積回路の保護の実効を図ることができる。従来のＩＣタグが内蔵され、高感度で大型のアンテナと一体化したＩＣタグの場合にはそのＩＣタグだけを、ピンポイント保護することができず一体化したアンテナ全体に放射線遮蔽材料や熱遮蔽材料からなるシールドを施す必要があったのに対して上記したキャップによる保護方法によれば、ＩＣタグ４０の外周面にのみ放射線遮蔽材料や熱遮蔽材料からなるキャップを覆えばいいので、コストの低減も図れ、省資源化を目指す上で大変有効となる。
【００３８】
パッシブタグであるＩＣタグ部１４はバッテリーを内蔵していないが、ループコイル４６によって受信された電波から電磁誘導結合（トランス結合）による誘導起電力を得てＩＣチップ４２の内部の集積回路で構成される電源回路が動作し、ＩＣタグ全体が機能する。送受信回路は復調回路及び変調回路を有している。復調回路はキャリアに付加されたデータ（情報）を取り出す機能を有し、変調回路は、高周波の搬送波にデータを付加する機能を有する。
【００３９】
復調回路及び変調回路はロジック制御回路によって制御されて、クロック（図示せず）に同期して動作する。ロジック制御回路はＣＰＵ（Central Processing Unit）により構成され、メモリはＩＤ（識別情報）等のデータを保存する。メモリはデータを保存するＲＯＭ（Read Only Memory）、ＲＡＭ（Random Access Memory）、ＥＥＰＲＯＭ（Electrically Erasable Programmable Read-Only Memory）等から構成される。ＩＣタグ４０はリーダ／ライタ装置７０との間で前記データに基づいて通信を行うことができる。例えば、メモリは、ブースターアンテナ装置６０が設置された例えば、貨物の固有情報または位置等の情報や通信記録その他を格納することができる。なお、これらの構成要素の構成や動作の詳細については当業者に容易に理解できるため省略する。
【００４０】
ループコイル４６の両端はそれぞれ後述するブースターアンテナ装置６０の接続端子６５につながり、さらにブースターアンテナ装置６０内部のアンテナ素子（図示せず）につながる。コイルアンテナ４４の通信距離は９２０ＭＨｚ、電波出力３０ｄＢｍ、ＩＣタグ４０を日立化成（株）のＩＭ５−ＰＫ２５２５型とした場合、コイルアンテナ４４の法線方向に関して５ｍｍ程度、法線とは直角の方向で５ｃｍ程度である。ループコイル４６は、ブースターアンテナ装置６０との位置関係、実装面積、その他の条件に応じて所望の寸法、形状を有する。概略の寸法としては、対向するコイルアンテナ４４と同等かその２ないし３倍程度の寸法である。ＩＭ５−ＰＫ２５２５の場合ではループコイル４６の直径は５ｍｍ程度である。例えば、上から見た場合にループコイル４６の形状は円形、四角形、楕円形など所望の形状を有することができる。一方コイルアンテナ４４は、プリント基板などに印刷成形されＩＣチップ４２とワイヤボンディング方式やＴＡＢ（Tape Automated Bonding）方式などによって接続されている。
【００４１】
なお、本実施の形態では、コネクタ部１２をねじ式のＳＭＡ型同軸コネクタとして説明したが、ＳＭＡ型同軸コネクタ以外にも、例えばＢＮＣ（Bayonet Neill Connection）型コネクタ、Ｎ型コネクタ、ＴＮＣ(Threaded Neill Connection)型コネクタ、ＭＭＣＸコネクタ等のようなコネクタであってもよい。また、ねじ式以外にも差し込み式のコネクタであってもよい。
【００４２】
［ブースターアンテナ装置の構成］
【００４３】
次に、ブースターアンテナ装置６０について説明する。ブースターアンテナ装置６０は、一般に市販されているリーダ/ライタ装置の商品メニューになどあるケーブル接続の別置きのアンテナ装置から選ぶのが好ましく、そのアンテナ装置の内部には例えば、パッチアンテナなどのアンテナ素子（図示せず）があり、これと外部へつながる接続端子６５とを高周波回路で配線（図示せず）されている。これら（図示しない部分）は中空の箱型形状の電波は透過するが防水など環境保護用シールドカバー６２とからなる。
【００４４】
アンテナ素子として多く用いられているパッチアンテナなどの平面アンテナは、例えば、プリント基板などでエッチングによる印刷形成など当業界で周知ないずれの方法によっても形成することができる。
【００４５】
アンテナ素子はパッチアンテナの他に金属棒などで組み立てる八木アンテナやダイポールアンテナ、モノポールアンテナ、ループアンテナ、スロットアンテナ、マイクロストリップアンテナ、あるいは立体的な面で構成されるホーンやパラボラアンテナなど当業界で周知の様々なアンテナを適用することができる。
【００４６】
シールドカバー６２の側面には、図１及び図３に示されるように、コネクタ部１２の雌ねじ部７４と螺合する雄ねじ部６８を含む雄ねじ部材６４が取り付け基板６６を介して取り付けられている。
【００４７】
［リーダ／ライタ装置の構成］
次に、リーダ／ライタ装置７０について説明する。リーダ／ライタ装置７０は、制御インタフェース部（図示せず）とアンテナ部（図示せず）とを有しており、所定のキャリア周波数ｆｃを有する電波を、ＩＣタグ４０へ送信したりＩＣタグ４０から受信したりして、ＩＣタグ４０と無線通信する。なお、電波Ｗは任意の周波数帯のキャリア周波数ｆｃ（例えばＵＨＦ帯域であれば４３３ＭＨｚ、８６０−９６０ＭＨｚ）を使用することができる。リーダ／ライタ装置７０は、制御インタフェース部を介して図示しない外部装置（処理装置、制御装置、パーソナルコンピュータ、ディスプレイなど）に接続されている。
【００４８】
制御インタフェース部は、送信回路（変調回路）と、受信回路（復調回路）と、コントローラとを内蔵している。送信回路は、外部装置（図示せず）からのデータを、例えば、キャリア周波数ｆｃの振幅を変えることにより（ＡＳＫ変調方式）、伝送信号に変換してアンテナ部に送信する。また、受信回路はアンテナ部を通じてＩＣタグ４０から受信した信号を復調してデータを得て、前記外部装置に送信する。なお、当業者は、送信回路及び受信回路の動作や構成を容易に理解して実現することができるので、ここではそれらの詳細な説明は省略する。
【００４９】
アンテナ部は、例えば、パッチアンテナやダイポールアンテナなどのアンテナ素子で構成され、そのアンテナの指向性や感度によって通信可能領域は変化する。
【００５０】
リーダ／ライタ装置７０から送信される電波をブースターアンテナ装置６０が受信すると、ブースターアンテナ装置６０の内部のアンテナ素子から接続端子６５を介してＩＣタグ部１４のループコイル４６にも電流が流れ、電磁誘導結合によりＩＣタグ４０を構成するコイルアンテナ４４に電流が流れる。これによりＩＣタグ４０の電源回路が駆動され、ＩＣチップ４２内のメモリ（図示せず）に格納された情報が読み取られる。
【００５１】
［ブースターアンテナ装置にコネクタ型ＩＣタグを取り付けた場合の使用例］
ブースターアンテナ装置６０にコネクタ型ＩＣタグ１０を取り付けた場合、ブースターアンテナの形状、大きさ、性能によって用途を分けることが可能である。以下では、コンパクトタイプ、高利得アンテナを備えた大型長距離通信タイプ、周波数帯域が変わる国際物流対応や特定方向が高感度になる直線偏波利用など特殊なタイプごとにそれらの適用するシーン（使用例）について説明する。
【００５２】
＜コンパクトタイプ＞
図７（ａ）に示すようなコンパクトなブースターアンテナ装置１００（図の例では取り付け板１１０を備えたタイプ）に取り付けられたコネクタ型ＩＣタグ１０を設置スペースが狭い管理対象物、例えば小型貨物に取り付けて物流管理システムなどに利用される。
【００５３】
＜高利得アンテナを備えた大型長距離通信タイプ＞
１０ｍを超えるような長距離通信が必要とされる物流管理システムに利用される。例えば、図９に示すようにリーダ／ライタ装置５１０が装着された無人機（ドローン：Drone）５００を、コネクタ型ＩＣタグ１０が接続されたブースターアンテナ装置５３０（図７（ｂ）におけるブースターアンテナ装置２００のタイプと同じで以降ＩＣタグ装置５３５ということもある）が取り付けられた大型貨物（コンテナ）５２０上空近傍にリモートで飛行させる。無人機５００がＩＣタグ装置５３５と通信可能な距離まで接近すると、リーダ／ライタ装置５１０はＩＣタグ装置５３５のＩＤなどの情報を読み込むことができる。このように、リーダ／ライタ装置をＩＣタグ近傍まで近づかせることができないような環境でも上記したような方法により安価で簡単に、かつ安全な飛行高度で巡航させ、短時間で物流管理を行うことができる。
【００５４】
また、図１０に示したように物流倉庫の物品搬入搬出エリア６４０に発着する貨物トラック６００に設けられたリーダ／ライタ装置６１０が、コネクタ型ＩＣタグ１０が接続されたブースターアンテナ装置、すなわち大型長距離通信タイプのＩＣタグ装置６３５内のＩＤ等の情報を読み取ることによって、物品搬入搬出エリア６４０内のどのポート場所に貨物トラック６００を到着させればよいかを認識（発着自動認識）させたり、誘導させたりすることができる。つまり、ＩＣタグ装置６３５の通信エリア６３４がポート情報を発するエリアとなる。
【００５５】
＜特殊なタイプ＞
輸出用貨物の輸出先の周波数帯にマッチした帯域のアンテナを選択したい場合に利用される。例えば、ヨーロッパのＵＨＦ帯は８６０Ｈｚ〜８８０Ｈｚであるが、その通信規格に合った最良のブースターアンテナ装置にコネクタ型ＩＣタグを取り付けたもの（図７（ｃ）の符号３００参照）を利用すれば、輸出用貨物の物流管理も行うことができる。あるいはブースターアンテナ装置内のアンテナ素子に直線偏波特性を選ぶと、互いの偏波方向を平行か直角に向き合わせるかで感度が大きく変化する。この偏波特性を積極的に利用できることになる。例えばこのような偏波依存性の大きいＩＣタグ装置を取り付け、目視では見えないシートを被った貨物の向きを知れるといった技術に利用できる。この技術には、直線偏波のほかに円偏波の右旋偏波と左旋偏波の間の直交性による感度変化を利用することも出来る。
【００５６】
［効果］
従来のパッシブＩＣタグは、電池不要が大きな特徴であるが通信可能距離は、高性能タイプであっても概略１０ｍ程度であった。１０ｍ以上を所望する場合は電池つきのアクティブタグが必要であった。しかしながら通信距離が比較的長いアクティブタグを用いて通信することもできるが、高価な上に電源（電池）を要するため通信中に電池寿命がきた場合には、電池交換した後に改めて通信し直さなければならない。
【００５７】
本発明に関わるコネクタ型ＩＣタグはバッテリーレスのパッシブＩＣタグであるので電池交換の必要がなく、通信距離もブースターアンテナを使うので従来のパッシブＩＣタグ単独の通信に比べて飛躍的に伸びる。さらに国際規格や工業規格のコネクタを利用しているので、用途別（例えば、耐候性に優れたタイプ、放射線遮蔽性に優れたタイプ、熱遮蔽性に優れたタイプ等）に異なるブースターアンテナやコネクタ型ＩＣタグを選択することができ、いずれのアンテナにも接続できるコネクタ型ＩＣタグの組み合わせができる。したがって、様々な用途に柔軟に対応することができ、選択の自由度が増える。また、コネクタ型ＩＣタグのキャップ部５０小型化が容易で、樹脂でできたもの、放射線遮蔽材料でできたもの、熱遮蔽材料でできたもの、小型化が可能で遮蔽能力のクラス分けをメニューとする等、適宜使い分けることで、様々な用途に柔軟に対応することができる。
【００５８】
［変形例１］
上記した説明ではコネクタ型ＩＣタグとリーダ／ライタ装置との送受信については、形状が平面的なパッチアンテナなどを用いたブースターアンテナを介して行われる例について説明したが、平面形状のアンテナの代わりに、小型アンテナ（図８参照）、パラボラアンテナ、多素子の八木アンテナ（商標：図示せず）などを用いて、これらのアンテナにコネクタ型ＩＣタグを接続してリーダ／ライタ装置との送受信を行うような構成にしてもよい。例えば、小型用途タイプとして利用する場合には、図８に示すようにコネクタ型ＩＣタグ１０を、ケーブル４１０を介して小型アンテナ４００に接続して利用することもできる。
【００５９】
［変形例２］
不適切なＩＤの交換を防止したり、交換しにくくするためにコネクタ型ＩＣタグとブースターアンテナ装置との接続を１回限りとするカシメ止め又は嵌め殺し止めを行ってもよい。具体的には、目的（用途）に合ったブースターアンテナ装置を選択した後にコネクタ型ＩＣタグのコネクタ部１２をブースターアンテナ装置に形成されたコネクタに接続し、その後にその接続部分に対してカシメ止め又は嵌め殺し止めを行う。
【００６０】
［変形例３］
上記した説明ではコネクタ型ＩＣタグについては、図１１（ａ）に示すような同軸ケーブル型のものを例にとって説明したが、これ以外にも例えば図１１（ｂ）に示すような雄雌変換型のコネクタ７００や図１１（ｃ）に示すようなエルボー型コネクタ８００を用いてもよい。雄雌変換型のコネクタ７００は、ブースターアンテナ装置側（一端側）のコネクタ形状は同軸ケーブル型のものと同じであるが逆側（他端側）には雄ねじ部７１０が形成されており、雄ねじ部７１０に内在する同軸ケーブルの内部導体と外部導体にそれぞれ、ＩＣタグ部を構成するループコイルの一端と他端が接続されている。エルボー型コネクタ８００は、同軸ケーブル型のコネクタ型ＩＣタグのコネクタ部８１０とＩＣタグ部８２０の間に中継部材８３０を介在させてなる略Ｌ字状のコネクタである。
【００６１】
以上、本発明の一実施の形態について説明したが、本発明はこれ以外にも種々変形可能となっている。上述の実施の形態においては、ＲＦＩＤ通信にて用いられるＵＨＦ帯の周波数として９２０ＭＨｚが挙げられている。しかしながら、ＲＦＩＤ通信にて用いられるＵＨＦ帯の周波数としては、たとえば８６０ＭＨｚから９６０ＭＨｚの帯域であれば、どのような周波数であってもよい。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であってもよく、その他の周波数であってもよい。ブースターアンテナ装置は、リーダ/ライタ装置の構成要素として一般的に用いられているアンテナ装置がふさわしい。これらは使用する周波数で最良の感度特性を得ることができるように調整されている。
【符号の説明】
【００６２】
１０…コネクタ型ＩＣタグ、１２…コネクタ部、１４…ＩＣタグ部、１６…雌ねじ部材、１８…導体保持部、２０…タグ接合部、３０…同軸ケーブル、３１…内部導体、３２…絶縁部、３３…外部導体、４０…ＩＣタグ、４２…ＩＣチップ、４４…コイルアンテナ、４６…ループコイル、５０…キャップ部、６０…ブースターアンテナ装置、６２…シールドカバー、６４…雄ねじ部材、６５…接続端子、６６…取り付け基板、６７…雄側内部導体、６８…雄ねじ部、６９…雄側外部導体、７０…リーダライタ装置、７１…絶縁体、７４…雌ねじ部、１００…ブースターアンテナ装置、１１０…取り付け板、２００…ブースターアンテナ装置、２１０…取り付け金具、３００…ブースターアンテナ装置、４００…小型アンテナ、４１０…ケーブル、５００…ドローン、５１０…リーダ/ライタ装置、５２０…大型貨物、５３５…ＩＣタグ装置、６００…貨物トラック、６１０…リーダ／ライタ装置、６３４…通信エリア、６３５…ＩＣタグ装置、６４０…物品搬入搬出エリア、７００…コネクタ型ＩＣタグ、７１０…雄ねじ部、８００…コネクタ型ＩＣタグ、８１０…コネクタ部、８２０…ＩＣタグ部、８３０…中継部材
【図１】
2017037388.tif 000004
【図２】
2017037388.tif 000005
【図３】
2017037388.tif 000006
【図４】
2017037388.tif 000007
【図５】
2017037388.tif 000008
【図６】
2017037388.tif 000009
【図７】
2017037388.tif 000010
【図８】
2017037388.tif 000011
【図９】
2017037388.tif 000012
【図１０】
2017037388.tif 000013
【図１１】
2017037388.tif 000014